(57)【特許請求の範囲】
【請求項１】
毛切断器具のための間隔コーム構成であって、
−  ブレードセットの静止ブレードの皮膚に面する側に配置されるように構成されるコームピースを含み、該コームピースは、
−  前方部分と、
−  当該間隔コーム構成が取り付けられるときに前記ブレードセットの切断長を定める、前記前方部分に形成される複数のコーム歯と、
−  前記毛切断器具に取り付けられるように構成される後方部分と、
−  前記前方部分と前記後方部分との間に構成される曲げ区画とを含み、該曲げ区画は、前記毛切断器具が作動させられるときに、前記前方部分を前記静止ブレードの前記皮膚に面する側に対して付勢するように構成され、
前記曲げ区画は、前記前方部分と前記後方部分との間にたわみ軸を定め、
前記曲げ区画は、前記コームピースに一体化され、
前記コームピースが前記毛切断器具に取り付けられるときに、前記前方部分に対する指向性バイアスが存在し、
前記コームピースは、一体的に成形されるコームピースである、
間隔コーム構成。
【請求項２】
前記曲げ区画は、前記前方部分の移動のために変形性が増大された前記コームピースを提供する、請求項１に記載の間隔コーム構成。
【請求項３】
前記コームピースは、前記毛切断器具に取り付けられ、前記前方部分及び前記後方部分は、前記前方部分を前記静止ブレードに対して付勢し且つ前記静止ブレードと接触させるそれぞれの反力を生成するよう、前記曲げ区画によって定められる軸の周りで互いから離れる方向に捩られる或いは傾けられる、請求項１又は２に記載の間隔コーム構成。
【請求項４】
少なくとも１つのリビングヒンジが、前記コームピースの前記前方部分と後方部分との間に形成される、請求項１乃至３のうちのいずれか１項に記載の間隔コーム構成。
【請求項５】
当該間隔コーム構成は、調節可能であり、前記コームピースは、後退状態と延出状態との間で前記静止ブレードに対して移動可能である、請求項１乃至４のうちのいずれか１項に記載の間隔コーム構成。
【請求項６】
前記コームピースの固有の反りが、前記コームピースの前記前方部分を前記静止ブレードに向かって付勢する、請求項１乃至５のうちのいずれか１項に記載の間隔コーム構成。
【請求項７】
前記コームピースは、前記コームピースの後方部分が前記毛切断器具に取り付けられるときに、前記コームピースの前記前方部分が前記静止ブレードに対して付勢されるような方法において、成形される、請求項１乃至６のうちのいずれか１項に記載の間隔コーム構成。
【請求項８】
前記コームピースは、前記前方部分と、前記後方部分と、それらの間に形成される前記曲げ区画とを備える一体的な部分として、一体成形品に形成される、請求項１乃至７のうちのいずれか１項に記載の間隔コーム構成。
【請求項９】
前記コームピースは、多構成要素で一体的に形成される部品であり、互いに結合される軟質構成要素及び少なくとも１つの硬質構成要素が提供される、請求項１乃至７のうちのいずれか１項に記載の間隔コーム構成。
【請求項１０】
前記コームピースには、前記コームピースの可撓性を増大させる窪みが形成され、該窪みは、前記コームピースの前記前方部分と前記後方部分との間の曲げ移動についての限界ストップを形成する、請求項１乃至９のうちのいずれか１項に記載の間隔コーム構成。
【請求項１１】
前記コームピースの前記前方部分には、少なくとも１つの凹みが設けられ、該凹みは、前記静止ブレードの前縁に平行に延び、前記コームピース及び前記静止ブレードが確定した相対的な長手方向位置にあるときに、前記静止ブレードの前方先端が係合するように構成される、請求項１乃至１０のうちのいずれか１項に記載の間隔コーム構成。
【請求項１２】
互いに基本的に平行な複数の凹みが設けられ、該凹みの配置は、前記静止ブレードに対する前記コームピースのそれぞれの長さ調節位置に適合させられる、請求項１１に記載の間隔コーム構成。
【請求項１３】
毛切断器具のための切断ヘッドであって、
可動ブレードと、静止ブレードとを含む、ブレードセットを含み、前記可動ブレード及び前記静止ブレードは、それらの間に捕捉される毛を切断するために、互いに対して移動させられるように構成され、
当該切断ヘッドは、請求項１乃至１２のうちのいずれか１項に記載の間隔コーム構成を含む、
切断ヘッド。
【請求項１４】
前記静止ブレードは、その皮膚に面する側で、基本的に平面的な後方部分と、傾斜した前方部分とを含み、前記コームピースの前記前方部分は、前記静止ブレードの前記前方部分に対して付勢される、請求項１３に記載の切断ヘッド。
【請求項１５】
毛切断器具であって、
当該毛切断器具は、毛を切断するために、毛の間を移動させられるように構成され、ハウジングと、切断ヘッドと、前記切断ヘッドに取り付けられるように構成される請求項１乃至１２のうちのいずれか１項に記載の間隔コーム構成とを含む、
毛切断器具。
【発明の詳細な説明】
【技術分野】
【０００１】
本開示は、毛切断器具(hair  cutting  appliance)のための間隔コーム構成(spacing  comb  arrangement)に関する。本開示は、更に、それぞれ間隔コーム構成を備える毛切断器具用の切断ヘッド(cutting  head)に関し、それぞれに装備された毛切断器具に関する。
【背景技術】
【０００２】
米国特許第２，９７４，４１２号は、電気ヘアクリッパ用のアタッチメントコームユニットを開示しており、コームユニットは、コーム歯(櫛歯)を形成するプラスチック製コームと、ヘアクリッパの静止ブレードに固定的に取り付けられるチャンネル形状のシートメタル支持要素に対して弾性的にクランプされるシートメタル背面部分とを含む。プラスチック製コーム及びシートメタル背面部分は、シートメタル背面部分にあるスロットに係合するクランプネジによってシートメタル支持要素にスライド可能に取り付けられる。
【０００３】
独国特許第４４６２６４Ｃ号は、ブレードセットと、切断中に切断高さを変更するための調節可能なコームとを有する、ヘアクリッパを開示しており、コームは、ブレードセットに対して移動可能であり、コームは、プッシュピースに枢動可能に取り付けられ、コームをブレードセットに押し付ける板バネがプッシュピースとコームとの間に設けられている。
【０００４】
欧州特許出願公開第２１０５２６７Ａ１号は、本体部分と、可動ブレードと静止ブレードとを含む一対のブレードを有するコーム形状ブレードユニットと、静止ブレードと関連付けられるコーム部分を有する間隔コームとを含み、コーム部分は、係合状態と係合解除状態との間で枢動可能である、ヘアクリッパを開示している。
【０００５】
毛切断器具、特に電気毛切断器具は、一般的に知られており、トリマ、クリッパ及びシェーバを含むことがある。電気毛切断器具を電動毛切断器具とも呼ぶ。電気毛切断器具は、本線電源によって及び／又は例えばバッテリのようなエネルギー貯蔵装置によって電力供給されてよい。一般的に、電気毛切断器具は、一般的に、人が手入れの行き届いた外観を有することを可能にするよう、（人間の）体毛、特に顔毛及び頭髪をトリミングする(trim)或いは除去するために使用される。頻繁に、電気毛切断器具は、動物の毛を切断するために使用される。
【０００６】
米国特許第６，９６８，６２３Ｂ２号は、本体と、ブレードセットを含む切断ヘッドと、ブレードセットに対して移動可能な調節可能なコームと、ブレードセットを駆動して切断動作をもたらす電気モータと、完全後退位置と完全延出位置との間でブレードセットに対してコームを移動させることができるアクチュエータアセンブリとを含み、アクチュエータアセンブリは、コームキャリッジと、コームキャリッジに接続されたコームボタンであって、ブレードセットに対するコームの位置を調節するために作動可能なコームボタンと、コームボタンに対して移動可能なロックボタンとを含み、ロックボタンは、本体に対するコームボタンの移動を選択的に防止及び許容する、ヘアトリマを開示している。結果的に、コームの長さを手動調節が可能にされる。
【０００７】
毛切断器具用のコーム、特に間隔コームは、一般的に、取り付け可能なコーム又は一体的に形成されたコームとして配置されることがある。間隔コームは、一般的に、作動中に毛切断器具が皮膚に対して移動方向に動かされるときに、毛切断器具のブレードセットを皮膚から離間させる。結果的に、間隔コームは、毛を所望の長さに、即ち、皮膚に残る毛の所望の長さに処理／切断するのを可能にすることがある。
【０００８】
従来的な毛切断器具は、アタッチメントコームのセットを備えることがあり、その各々は、異なる毛の長さと関連付けられる。結果的に、毛切断器具のユーザは、基本的に、毛切断長を変更するためにアタッチメントコームを別のものに交換する必要がある。更に、米国特許第６，９６８，６２３Ｂ２号に開示されているように、手動調節可能なコームアタッチメントが知られている。更に、例えば、欧州特許出願公開第２５００１５３Ａ２号に開示されているように、動力調節コームも近年提示されている。典型的には、動力調節コームは、毛切断器具のブレードセットに対して移動可能である可動コーム部分を含み、可動コーム部分は、アクチュエータに、特に電気モータ及び／又は電気パワートレインに連結される。
【０００９】
間隔コームを使用することは、均一な毛の長さ、例えば、３．０ｍｍ、６．０ｍｍ、９．０ｍｍなどの長さが達成されることがあるという利点を有する。故に、特定の短いヘアカット、３日髭、及び類似の手順が単純化されることがある。
【００１０】
一般に、米国特許第６，９６８，６２３Ｂ２号及び欧州特許出願公開第２５００１５３Ａ２号に示されているように、間隔コーム、特に調節可能な間隔コームは、皮膚に沿う器具の移動方向と基本的に整列させられる前方方向において見られるときに、コームの歯の前方部分が毛切断器具のブレードセットの先端を越えて延びるような或いは覆いさえするような方法において、毛切断器具の切断ヘッドに取り付けられる。このようにして、一方では、アタッチメントコームとの組み合わせブレードセットのかなりの毛捕捉能力が保証される。これは、コームが取り付けられる器具が有毛部分を通じて移動させられるときに、コームの歯が毛を持ち上げるように構成されることを含む。しかしながら、他方では、これは、調節コームの後退状態においてさえも、その歯の先端が静止ブレードの先端を越えて突出することを含む。更に、幾つかの実施形態において、コームの歯は、ブレードセットの静止ブレードの歯が係合することがある係止凹部を備える。故に、アタッチメントコームは、ブレードセットの歯付き部分に積極嵌合式(positive  fit  fashion)に適切に固定されもする。
【００１１】
アタッチメントコームの歯の包囲設計(embracing  design)の更なる目標は、毛が静止ブレードの歯とアタッチメントコームの歯との間の間隙に入って、間隙内に捕捉されるか或いは詰まるのを防止することである。これは実際には毛がもぎ取られることに帰結する。
【００１２】
しかしながら、上記構成は幾つかの欠点を有する。第１に、完全後退状態においてさえ、少なくともアタッチメントコームの歯の先端は、ブレードセットの歯を越えて突出する。これは切断ゾーンを幾分妨害する。故に、トリミング及びスタイリング作業は、視認性条件の悪化の故に、幾分複雑化される。更に、アタッチメントコームはブレードセットの前方端を幾分妨害して覆うので、器具の到達可能性が低下させられる。これは、例えば、上唇の口髭がトリミング又はスタイリングされるときに現れる。その場合、ブレードセットの歯で上唇と鼻との間の移行縁に到達することは、不可能でないにしても、しばしば困難である。実際には、これは、鼻に非常に近い最上部の毛を所望の長さに十分にトリミングし得ないことをしばしば含む。類似の問題は、もみあげが処理されるとき、耳の近傍の頭髪が処理されるとき、及び／又は剃毛された部分と剃毛されていない部分との間の鋭い縁が処理されて手入れされるときに生じることがある。
【発明の概要】
【発明が解決しようとする課題】
【００１３】
よって、間隔コーム構成、より一般的には、毛切断器具のための長さ調節機構における改良の余地が依然としてある。
【００１４】
上記に鑑みて、上記の問題の少なくとも幾つかに取り組む間隔コーム構成を探求することが本開示の目的である。特に、コームピースの実際の調節位置に拘わらず、ブレードセットに、特にその静止ブレードにくっつくように構成されたコームピースを有する間隔コーム構成を提供することが望ましい。更に、毛切断器具の一般的な到達可能性挙動を改良するコームピースを有する間隔コーム構成を提示することが望ましい。更に、静止ブレードとコームピースとの間の毛の詰まり又は締付けを減少させるように或いは回避さえするように構成されたコームピースを有する間隔コーム構成を提示することが望ましい。更に、毛切断器具のブレードセットに連結されるように配置されたコームピースを含む間隔コーム構成を提示することが望ましく、間隔コーム構成は、かなりのヘア捕捉及び毛持上げ能力を有する。
【００１５】
更に、確定した(defined)切断長のセットが提供されるように調節可能な間隔コーム構成を提供することが望ましい。更に、製造が容易で操作が容易なコームピースを含む間隔コーム構成を提示することが望ましい。
【００１６】
コームピースを有するコーム構成に連結される／コームピースを有するコーム構成を備えるように配置される毛切断器具のための切断ヘッドを提供することも望ましい。更に、それぞれのコーム構成を備える或いは具備する対応する毛切断器具を提供することが本開示の目的である。
【課題を解決するための手段】
【００１７】
本開示の第１の態様において、毛切断器具のための間隔コーム構成が提供され、間隔コーム構成は、
−  ブレードセットの静止ブレードの皮膚に面する側に配置されるように構成されるコームピースを含み、コームピースは、
−  前方部分と、
−  間隔コーム構成が取り付けられるときにブレードセットの切断長を定める、前方部分に形成される複数のコーム歯(櫛歯)と、
−  毛切断器具に取り付けられるように構成される後方部分と、
−  前方部分と後方部分との間に構成される曲げ区画とを含み、曲げ区画は、毛切断器具が作動させられるときに、前方部分を静止ブレードの皮膚に面する側に対して付勢するように構成され、
曲げ区画は、前方部分と後方部分との間にたわみ軸(deflection  axis)を定め、
曲げ区画は、コームピースに一体化され、
コームピースが毛切断器具に取り付けられるときに、前方部分での指向性バイアス(directional  bias)が存在し、
コームピースは、一体的に成形されるコームピースである。
【００１８】
この態様は、コームピースが毛切断器具に取り付けられたときに、コームピースが指向性バイアス又は予荷重が存在するような方法において形成されることがある、という洞察に基づいている。故に、コームピースの前方部分は、ブレードセットの静止ブレードの皮膚に面する側に少なくとも僅かに押し付けられることが保証される。故に、コームピースと静止ブレードとの間の隙間のない(tight)前方接触ゾーンが提供される。この手段は、コームピースの完全後退状態でさえも、前方方向におけるコームピースの歯の先端が静止ブレードの歯の先端を越えて突出するような方法でコームピースを設計する必要がないという利点を有する。
【００１９】
一例として、コームピースの完全後退位置は、１．０ｍｍ、１．５ｍｍ、又は２．０ｍｍの切断長に対応することがあるが、それは限定的な意味に解釈されてならない。既存のコーム構成では、同程度の切断長を含む完全後退状態においてさえも、コームピースの歯は、その前方端で静止ブレードの歯の先端と重なり合うか或いはそれを取り囲む(embrace)。故に、従来的なコーム構成と比較して、より大きな視認性及び到達可能性がもたらされる。
【００２０】
コーム構成の例示的な実施形態において、曲げ区画は、前方部分の移動のために変形性が増大されたコームピースを提供する。
【００２１】
この実施形態は、コームピースが、前方部分が静止ブレードと、特にその歯と接触させられることがあるように、十分なレベルの可撓性が提供されるような方法において形成されることがある、という洞察に基づいている。変形は、コームピース内に存在する固有のバイアス力によって或いは器具のユーザによって加えられる外力によって引き起こされることがある。この実施形態は、上記で導入した第１の態様の有益な改良を形成することがあり、或いは分離して追求されてよい別個の態様と見做されてよいことが留意されるべきである。
【００２２】
更に、コーム構成は調節可能であるので、少なくとも幾つかの実施態様では、各調節位置において、一定の予荷重が、従って、コームピースと静止ブレードとの間の密接な接触が、そのそれぞれの前方部分において提供されることを保証することができる。これは静止ブレードの前方端とコームピースとの間のあらゆる間隙を減少させることがあり或いは回避させることさえあるという効果を有する。このようにして、毛は、静止ブレードとコームピースとの間の間隙に入ることが防止されることがあり、そこで締め付けられて詰まることが防止されることがある。故に、トリミングの快適性が向上させられることがある。皮膚刺激及び毛のもぎ取りが減少させられることがあり或いは回避されることさえある。
【００２３】
コームピースは、解放可能に取付け可能なコームピースとして構成されてよい。しかしながら、幾つかの実施形態において、調節可能なコームピースは、毛切断器具の解放不能な構成要素を形成してよい。幾つかの実施態様において、コームピースは、長さ調節のために配置される。本明細書で使用するとき、長さ調節は、毛の長さ調節に関する。典型的には、調節可能なコームは、毛切断又はトリミング操作後の対応する残存する毛の長さをもたらす、切断部分又はブレードセットと皮膚部分との間のオフセットを定める。
【００２４】
本開示の主要な態様は、機械的に手動操作される長さ調節機構に関して本明細書中に提示され且つ議論されるが、これは限定的な意味で解釈されてならない。むしろ、動力長さ調節構成も、本明細書に提示するような間隔コーム構成の恩恵を受けることがある。
【００２５】
本明細書で使用するとき、静止ブレードの皮膚に面する側は、毛切断器具のハウジングから見て外方を向く側であり、毛切断器具がアタッチメントコームを伴わずに操作されるときに皮膚と接触する側である。取り付けられた状態において、コームピースは、ブレードセットのそれぞれの可動ブレードとは反対の静止ブレードに配置される。故に、コームピースが毛切断器具に取り付けられるとき、静止ブレードは可動ブレードとコームピースとの間に配置される。
【００２６】
本明細書で使用するとき、間隔コーム構成は、基本的にコームピースを含む。しかしながら、幾つかの実施形態では、ファスナ(締結具)、調節部品、及び更なる構成要素が、間隔コーム構成の一部を形成することがある。一般的に、間隔コーム構成は、毛切断器具のブレードセットと協働するよう、毛切断器具に取り付けられるように構成された、セット又はキットとして構成されてよい。
【００２７】
コーム構成の更なる例示的な実施形態では、コームピースが毛切断器具に取り付けられると、前方部分及び後方部分は、前方部分を静止ブレードに対して付勢して接触させるそれぞれの反力(counterforce)を生成するよう、曲げ区画によって定められる軸の周りで互いから離れる方向に捩られ或いは傾けられる。
【００２８】
別の例示的な実施形態において、曲げ区画は、コームピースに一体化される。一般的に、曲げ区画は、曲げ軸(bending  axis)又はたわみ軸(deflection  axis)を定めるコームピースに形成されるジョイント(継手)又はヒンジと見做されてよい。曲げ軸は、仮想軸として形成されてよい。一般的に、曲げ軸は、静止ブレードの最外側の歯及び／又はコームピースの間の接続線に平行である。このようにして、直列に配置される静止ブレードの複数の歯に沿う均一なバイアス力及び衝撃が提供されることがある。
【００２９】
一般的に、少なくとも幾つかの実施態様において、コームピースは、前方部分に加えて、後方部分を含んでよく、その場合、曲げ区画は、それらの間に配置される。故に、後方部分で、コームピースは、コームピースの確定した変形の故にバイアス又は予荷重が生成されるような方法において、毛切断器具に取り付けられることがある。故に、コームピースが毛切断器具に取り付けられるとき、前方部分及び後方部分は、曲げ区画によって定められる軸の周りで互いから離れる方向に捩られることがあり或いは傾けられることがある。これは前方部分を静止ブレードに対して付勢するそれぞれの反力をもたらす。
【００３０】
コーム構成の別の例示的な実施形態では、少なくとも１つのリビングヒンジが、コームピースの前方部分と後方部分との間に形成される。故に、別個の別々に形成されるピボット軸又はヒンジは提供されない。リビングヒンジは、所望の曲げ作用を可能にするよう十分にフレキシブル(可撓)である。リビングヒンジを組み込むことによって、コームピースの製造及び組立は容易である。リビングヒンジは、曲げ区画を形成してよく、コームピースのそれぞれの曲げ軸を定めてよい。
【００３１】
別の例示的な構成において、コームピースは、調節可能であり、コームピースは、後退状態と延出状態との間で静止ブレードに対して移動可能である。後退状態は、かなり小さな切断長に対応する。延出状態は、かなり大きな切断長に対応する。調節作用は、漸進的な調節又は増分的な調節を含んでよい。代替的に、調節作用は、無段階又は連続調節を含んでよい。いずれの場合においても、コームピースは、スライド運動において静止ブレードに対して移動させられてよい。コームピースの前方部分は、側面図において、好ましくは、コーム歯の先端に向かってテーパ状であるので、調節運動(adjustment  movement)は、長さ調節を含む。
【００３２】
コームピースが後退状態(retracted  state)から延出状態(extended  state)に移動させられるときに、コームピースの前方端は、前方方向において静止ブレードの先端を越えて突出するので、存在する或いは少なくとも生成されるバイアス力又は曲げ力は、静止ブレード歯の先端とコームピースの前方部分との間に依然として密接な接触があることを保証する。幾つかの実施態様において、コームピースの調節運動は、コームピースの後方部分に対する前方部分の枢動又は旋回運動を含む。このようにして、コームピースは、静止ブレードの歯のテーパ付き又は傾斜付き設計に適合させられることがある。
【００３３】
更に別の例示的な実施形態では、コームピースの固有の反りが、コームピースの前方部分を静止ブレードに向かって付勢する。この実施形態によれば、コームピースは、曲げ作用を誘発する内部予荷重をもたらすことがある。更に、コームピースが射出成形によって製造されるとき、射出成形型及び／又はそれぞれの成形パラメータは、コームピースが製造されるときに内部張力が生成されるように、選択されてよい。
【００３４】
更に別の例示的な実施形態において、コームピースは、その後方部分が器具に取り付けられたときに、その前方部分が静止ブレードに対して付勢されるような方法において、成形される。故に、コームピースは、アセンブリ操作によってひずまされる(distorted)ことがある。従って、組み立てられていない状態において、内部予荷重が存在しないとしても、曲げ力は、取り付けられた状態において提供されることがある。
【００３５】
コーム構成の更に別の例示的な実施形態では、コームピースが静止ブレードに対して調節移動方向に移動させられるときに、後方部分は、静止ブレードとの、特にその皮膚に面する側にある基本的に平面的な後方部分との、平行な向き及び密接な接触を取って維持する。故に、コームピースがこのように移動される（調節される）ときに、前方部分は、ピボット軸を形成する曲げ区画の周りで後方部分に対して枢動させられる。
【００３６】
更に別の例示的な実施形態では、コームピースの前方部分を静止ブレードに対して付勢するように配置される別個の付勢要素(biasing  element)が設けられてよい。この目的を達成するために、金属バネ、プラスチックバネ及び同等物が使用されてよい。
【００３７】
更に、付勢力(biasing  force)は、少なくとも部分的に、コームピースが皮膚に接触するときにユーザによって加えられる外部的な押付力(press-on  force)によって生成されることがある。
【００３８】
コーム構成の一層更なる例示的な実施形態において、コームピースは、一体的に成形される。換言すれば、コームピースは、一体成形品に形成される。一体成形品にのみ成形されるようコームピースを構成することは、その製造を大いに単純化する。１つの同じ一体的な部分が、前方部分と、後方部分と、それらの間に形成される曲げ区画とを備えてよい。それにも拘わらず、例えば、リビングヒンジを一体化すること及び／又は内部張力を使用することによって、単なる顕微鏡的な曲げ作用以上の作用が提供されることがある。
【００３９】
コーム構成の一層更なる例示的な実施形態において、コームピースは、多構成要素(multi-component  integrally  formed  part)で一体的に形成される部品であり、互いに結合される軟質構成要素(soft  component)及び少なくとも１つの硬質構成要素(hard  component)が提供される。
【００４０】
１つの実施形態において、コームピースは、多構成要素射出成形部品である。一例として、２つの硬質コンポーネントを提供されてよく、そのうちの１つは前方部分であり、他の１つは後方部分である。故に、付勢区画又は曲げ区画は、２つの硬質構成要素の間に形成される軟質構成要素によって形成されてよい。軟質構成要素は、このようにして、曲げ軸／たわみ軸を定めることがある。多構成要素射出成形自体は、当技術分野において一般的に知られている。
【００４１】
更に、代替的な実施形態では、多構成要素射出成形を使用して、互いに対して移動可能な基本的に２つの区画を含むコームピースを形成してよい。これは型内組立(in-mold  assembling)を含むことがある。このようにして、別個のヒンジ又はジョイントが形成されてよい。
【００４２】
別の実施形態において、コームピースは、オーバーモールド又はインサートモールド部品として構成されてよく、金属構成要素及び少なくとも１つのプラスチック構成要素が提供され、互いに接合される。金属構成要素は、プラスチック構成要素によって少なくとも部分的にオーバーモールドされるインサートを形成してよい。故に、金属構成要素は、コームピースの前方部分を静止ブレードの皮膚に面する側に対して付勢する付勢力を生成する付勢要素として作用することがある。
【００４３】
コーム構成の一層更なる例示的な実施形態では、コームピースの可撓性を増大させる窪み(indentation)がコームピースに形成される。窪みは、コームピースを通じて横方向に延びる。故に、側面図において見られるとき、コームピースのそれぞれの断面は、曲げ区画における有意に減少させられた壁厚を含む。幾つかの実施態様において、窪みは、静止ブレードに面するコームピースの側面に形成される。故に、この実施形態では、コームピースの皮膚に面する側に、窪みは存在しない。
【００４４】
コーム構成の更に別の例示的な実施形態において、窪みは、溝形状であり、前方フランクと、後方フランクと、それらの間に形成される溝ベースとを備え、前方フランク及び後方フランクは、コームピースの前方部分と後方部分との間の曲げ運動のための限界ストップを形成する。故に、窪みは、コームピースの可撓性を増大させるのみならず、最大曲げ運動も定める。
【００４５】
コーム構成の更に別の例示的な実施形態では、コームピースの前方部分に、少なくとも１つの凹み(depression)が設けられ、凹みは、静止ブレードの前縁に平行に延び、静止ブレードの前方先端は、コームピース及び静止ブレードが確定した相対的な長手方向位置にあるときに、凹み内に少なくとも部分的に浸漬する。
【００４６】
コーム構成の更に別の例示的な実施形態では、コームピースの前方部分に、少なくとも１つの凹みが設けられ、凹みは、静止ブレードの前縁に平行に延び、コームピース及び静止ブレードが確定した相対的な長手方向位置にあるときに、静止ブレード歯の前方先端が係合するように構成される。
【００４７】
本明細書で使用するとき、静止ブレードの前縁は、少なくとも最外側の歯、好ましくは、静止ブレードの全ての歯の先端を接続する、接続線によって定められる。故に、前縁は、毛切断処置を行うときの器具の推定される移動方向に対して基本的に垂直である。
【００４８】
一般的に、確定した相対的な長手方向位置は、確定した切断長に対応する。言うまでもなく、少なくとも１つの凹みは、コームピースの歯に形成される。故に、凹みは、静止ブレードに面するコームピースの側面に形成されるコームピースの歯にあるそれぞれの凹みを含むことがある。
【００４９】
更に別の例示的な実施形態では、基本的に互いに平行な複数の凹みが設けられ、凹みの配置は、静止ブレードに対するコームピースのそれぞれの長さ調節位置に適合させられる。故に、切断長の漸進的な又は段階的な調節が可能であると仮定すると、それぞれの凹みは、コームピースと静止ブレードとの間の相対的な長手方向位置に適合させられる長手方向位置を取ることがある。
【００５０】
静止ブレードの先端は、凹み内に少なくとも部分的に浸漬することがあるので、コームピースの前方区画は、静止ブレードに向かって更に一層傾けられることがある。これは、少なくとも静止ブレードに対するコームピースの相当な延出状態において、コームピースの歯が静止ブレードの歯の先端を少なくとも部分的に覆うことがあるという効果を有する。これは毛切断器具の毛捕捉及び毛持上げ性能を更に向上させる。
【００５１】
静止ブレード歯の先端が係合するように構成されるコーム歯での窪み又は凹みの提供に関する上述の実施形態は、本明細書に記載するコームピースのいずれの態様にも適用可能である。故に、浸漬構成(dipping  feature)は、コームピースの前方部分を静止ブレードに対して付勢する固有の付勢構成に関する態様の文脈において実施されてよい。更に、浸漬構成は、少なくとも部分的に、前方部分を静止ブレードに向かって移動させるために器具に加えられる外力の故に変形させられることがある、曲げ区画に関する態様の文脈において実施されてよい。
【００５２】
本開示の更なる態様では、毛切断器具のための切断ヘッドが提示され、切断ヘッドは、可動ブレードと、静止ブレードとを含む、ブレードセットを含み、可動ブレード及び静止ブレードは、それらの間に捕捉される毛を切断するために、互いに対して移動させられるように構成され、切断ヘッドは、本明細書に記載するような少なくとも１つの実施形態に従ったコーム構成を含む。
【００５３】
本明細書で使用するとき、可動ブレード及び静止ブレードという用語は、ブレードセットの２つの基本的な構成要素を記述するために使用される。本明細書で使用するとき、静止ブレードは、毛切断器具のハウジングに基本的に固定的に取り付けられるブレードと考えられるべきである。対照的に、本明細書で使用するとき、可動ブレードは、静止ブレードに対して移動させられるようハウジングで可動に受け入れられるブレードセットのブレードと考えられるべきである。故に、毛切断器具のモータ式の駆動装置は、可動ブレードを静止ブレードに対して移動させるよう、可動ブレードに動作的に連結される。
【００５４】
切断ヘッドの更なる例示的な実施形態において、コームピースは、延出位置と後退位置との間で移動させられるように構成される。一般的に、延出位置は、大きな切断長に対応する。同様に、後退位置は、短い切断長に対応する。
【００５５】
更に、更なる別の例示的な実施形態では、後退位置において、コームピースは、前方方向において、静止ブレードの前方端を越えて突出しない。更に、特定の実施形態において、静止ブレードは、コームピースの後退位置では、前方方向において前方端を越えて突出する。
【００５６】
更に別の例示的な実施形態では、コームピースの後退位置において、静止ブレード及びコームピースの先端は、コームピースが後退位置にあるときに、前方方向において基本的に整列させられる。故に、静止ブレードの先端及びコームピースの先端は、この位置において、前方方向において同じ又は基本的に同じレベルで終端する。
【００５７】
切断ヘッドの更なる例示的な実施形態において、静止ブレードは、その皮膚に面する側で、基本的に平面的な後方部分と、傾斜した前方部分とを含み、コームピースの前方部分は、静止ブレードの前方部分に対して付勢される。更に上記のように、静止ブレードの歯は、その後方部から前方先端までの減少させられた厚さを含むテーパ状の設計を含んでもよい。所望のテーパ付き設計を達成するために、傾斜部分が静止ブレードの皮膚に面する側面に形成されてよい。故に、コームピース、特にその前方部分を、静止ブレードの傾斜した前方部分に適合させるよう、コームピースを十分に可撓にすることが有益である。
【００５８】
本開示の更に別の態様では、毛切断器具、特に電動ヘアトリマが提示され、毛切断器具は、毛を切断するために、毛の間を移動させられるように構成され、ハウジングと、切断ヘッドと、本明細書で議論するような少なくとも１つの実施形態に従ったコーム構成とを含む。コーム構成は、切断ヘッドに取り付けられるように構成されてよい。好ましくは、コーム構成は、切断長の調節を可能にする調節可能なコーム構成である。更に、コーム構成は、好ましくは、取り外し可能に取り付け可能である。故に、毛切断器具は、コーム構成を具備した状態において、毛切断器具に取り付けられる如何なるコーム構成も伴わずに、作動させられることがある。
【００５９】
本開示のこれらの態様及び他の態様は、以下に記載する実施形態から明らかであり、それらを参照して解明されるであろう。
【図面の簡単な説明】
【００６０】
【図１】（図１に示していない）間隔コームが取り付けられることがある毛切断器具の斜視背面図である。
【図２】コーム構成が取り付けられた毛切断器具用の切断ヘッドのある実施形態の斜視背面図である。
【図３】コーム構成のコームピースが切断ヘッドから取り外された状態における図２に例示する構成を示している。
【図４】図２及び図３に示す構成の斜視正面図であり、静止ブレード及びコームピースは分解状態において示されている。
【図５】毛切断器具の切断ヘッド用ブレードセットのある実施形態の側面図である。
【図６】図５に示す構成の更なる図であり、コームピースが切断ヘッドに取り付けられている。
【図７】第１の動作状態におけるコームピースを備えるブレードセットの部分的な単純化された側面図である。
【図８】第２の動作状態における図７の構成の更なる図である。
【図９】曲げ区画を有するコームピースの斜視断面背面図である。
【図１０】更なる実施形態のコームピースを備えるブレードセットの部分的な単純化された側面図である。
【図１１】更なる実施形態のコームピースを備えるブレードセットの更なる部分的な単純化された側面図である。
【発明を実施するための形態】
【００６１】
図１は、毛切断器具１０(hair  cutting  appliance)を示している。従来的な毛切断器具自体は広く知られており、当該技術分野において記載されている。
【００６２】
毛切断器具１０は、ハウジング１２と、操作制御装置１４、例えば、オン／オフボタンとを含む。ハウジング１２は、モータと、（存在するならば）バッテリと、（存在するならば）電源と、制御ユニットと、ドライブトレイン又は駆動機構とを収容してよい。一般的に、毛切断器具１０のハウジング１２は、第１の端と、第２の端とを有する、細長い形状を有する。第１の端を切断ヘッド端と呼ぶこともある。ハウジング１２の第１の端には、切断ヘッド１８が設けられる。切断ヘッド１８には、ブレードセット２０が配置される。図１の例示的な実施形態に示すように、切断ヘッド１８は、幾分露出させられた並びに高められた(elevated)様式において配置される。結果的に、全体的なハウジング１２の一部と呼ぶことがある切断ヘッドハウジングが提供される。
【００６３】
図１の例示的な実施形態によれば、切断ヘッド１８は、ポッド状に配置される。切断ヘッド１８のポッド状の形状は、切断ヘッド１８が高められるという利点を有し、器具１０の（主）ハウジング１２に対して回転させられてよい。これは届きにくい領域で毛をシェービングすること又はトリミングすることを容易にする場合がある。しかしながら、これは器具１０の内部構成要素が（主）ハウジング１２と切断ヘッド１８との間の相対的な回転に適合する及び／又はそのような相対的な回転を可能にするように配置されることを必要とする。
【００６４】
図１の毛切断器具１０の構成は、切断ヘッド１８が器具１０の主要部分から分離されてよいという利点を有する。例えば、例示的な実施形態では、（フォイル）シェービングヘッド、トリミングヘッド、スタイリングヘッド等のような異なる切断ヘッド１８が設けられてよい。図１に例示的に示すような切断ヘッド１８は、トリミング操作に特に適する。
【００６５】
しかしながら、代替的な実施形態において、切断ヘッド１８は、器具１０のより一体化された構成要素を形成してよく、特に切断ヘッド１８のハウジングは、（全体的な）ハウジング１２の一体化された部分として構成される。従って、本明細書で使用するとき、切断ヘッド１８のハウジングは、必ずしも別個のハウジングと見做されない。むしろ、切断ヘッド１８のハウジングは、別個の高められたハウジングとして或いは全体的なハウジング部分１２の一体化されたハウジング部分として構成されてよい。
【００６６】
結果的に、本明細書において切断ヘッドハウジングに言及するときにはいつでも、これは、当て嵌まる場合には、器具１０の全体的なハウジング１２を指すこともある。
【００６７】
以下により詳細に示すように、ブレードセット２０は、典型的には、静止ブレード２２と、可動ブレード２４とを含む。図１において、可動ブレード２４は、その上に配置された静止ブレード２２によって覆われている。静止ブレード２２をガード又はガードブレードと呼ぶこともある。可動ブレード２４をカッタ又はカッタブレードと呼ぶこともある。切断ヘッド１８の頂端では、静止ブレード２２の皮膚に面する側が符号２６によって示されている。
【００６８】
（例えば、３．０ｍｍ、６．０ｍｍ、９．０ｍｍなどの）明確な切断長の毛切断又は髭を有することが望ましい場合には、いわゆる間隔コームが器具１０に取り付けられてよい。
【００６９】
例えば、図１に示すように、毛切断器具１０に取り付けられるように構成される、間隔コーム構成３０の実施形態を例示する、図２、図３及び図４を参照する。より具体的には、間隔コーム構成３０は、器具１０の切断ヘッド１８に連結されるように構成される。間隔コーム構成３０は、解放可能な様式において器具１０に取り付けられるように構成されてよい。
【００７０】
間隔コーム構成３０は、取り付けられた状態で図２に示されている。図３において、間隔コーム構成３０は、切断ヘッド１８及びブレードセット２０からそれぞれ分離された状態で示されている。図４では、主として例示の目的のために、分解図が提供されており、静止ブレード２２及び間隔コーム構成３０（特にそのコームピース３２）は、分離された状態で示されている。
【００７１】
間隔コーム構成３０は、ブレードセット１８の静止ブレード２２の皮膚に面する頂端に配置されるコームピース３２を含む。この目的を達成するために、切断ヘッド１８のハウジングの部分及び／又はより一般的には毛切断器具１０のハウジング１２（図１を参照）を形成することがある、取付け区画３４が提供される。
【００７２】
コームピース３２は、取り付けられた状態においてブレードセット２０のそれぞれの歯と整列させられる一連のコーム歯３６(櫛歯)を備える。コーム歯３６は、コームピース３２の前方部分に形成され、コームピース３２の前方部分を定める。
【００７３】
図２及び図３に例示するように、コームピース３２は、その後方区画に形成される取付けプレート３８を更に含んでよい。取付けプレート３８は、コームピース３２の概ね剛的な(rigid)堅い(stiff)部分である。
【００７４】
図２において、二重矢印４０は、ブレードセット２０、特にその静止ブレード２２に対する、コームピース３２の移動方向又は調節方向を示している。移動方向４０は、コームピース３２と静止ブレード２２との間の共通の接触面に概ね平行である。接触面は、静止ブレード２２の皮膚に面する側と、皮膚から見て外方を向くコームピース３２の側とに形成される。
【００７５】
間隔コーム構成３０の調節をもたらすために、係止及び調節機構４４が設けられる。機構４４は、コームピース３２を器具１０の切断ヘッド１８に取り付けるように構成されるファスナ４６を含む。機構４４は、横方向突起５０を備えた保持要素４８を更に含む。図２に示すような取付け状態において、ファスナ４６は、保持要素４８を通じて延びる。ファスナ４６は、保持要素４８を、取付け状態において、コームピース３２の後方領域にある案内スロット５４に形成される保持タブ５６に押し付ける。スロット５４内には、保持要素４８の係合突起５０と協働するように構成される更なる割出し位置決め凹部５８(indexing  positioning  recesses)が設けられる。このようにして、複数の位置決め凹部５８が形成されると、コームピース３２と静止ブレード２２との間のそれぞれの数の相対的な調節位置が提供されることがある。
【００７６】
図３には、例えば、ネジとして構成されてよいファスナ４６によって、取付け状態において係合させられるように構成される、ネジ穴６２が例示されている。このネジ穴６２は、静止ブレード２２の後方部分に配置されている。図３には、静止ブレード２２の（皮膚に面する）頂側にあるスライド平面６４が更に示されている。コームピース３２が移動方向４０（図２）に移動させられるとき、これはスライド平面６４に沿うスライド移動を含む。
【００７７】
コームピース３２には、スライド平面６４に接触して、長さ調節のために移動方向４０においてスライド平面６４に沿って移動させられるように構成される、接触面７８（図４）が形成されている。
【００７８】
調節機構の更なる代替的な実施形態を着想可能であることが留意されるべきである。故に、図２及び図３に例示的に例示する係止及び調節機構４４は、主として例示の目的のために示されており、開示の範囲を限定するために示されていない。
【００７９】
図３に示すように、コームピース３２は、前方部分６８と、後方部分７０とを含む。前方部分６８に、コームピース３２の歯３６が形成される。後方部分７０に、取付けプレート３８が形成される。更に、案内スロット５４が後方部分７０に形成される。前方部分６８と後方部分７０との間には、付勢区画(biasing  section)又は曲げ区画７２(flexture  section)が形成される。曲げ区画７２は、前方部分６８と後方部分７０とを接続して、それらの間に移行ゾーンを形成する。
【００８０】
図２、図３、及び図４に示す例示的な実施形態では、リビングヒンジ７４(living  hinge)が、曲げ区画７２を形成する。リビングヒンジ７４は、前方部分６８及び後方部分７０と比較して、大幅に減少させられた壁厚を含む。故に、曲げ区画７２には、コームピース３２を通じて横方向に延びる窪み７６(indentation)が形成される。窪み７６は、静止ブレード２２に接触するコームピース３２の側に形成される。この設計の一般的な目標は、フレキシブルゾーン(可撓ゾーン)を形成すること及びコームピース３２が器具１０に取り付けられるときに前方部分４８を静止ブレード２２に対して付勢する(urges)バイアス(bias)又は張力を生成することである。このようにして、コーム歯３６は、静止ブレードの歯８０に対して少なくとも僅かに押圧される。
【００８１】
ブレードセット２０の可動ブレード２４に、それぞれの歯８２が設けられる。静止ブレード２２と可動ブレード２４との間の往復切断運動を図４に符号８４によって示す。図４には、回転駆動ピンに係合して、基本的に回転的な駆動運動を往復切断運動８４に変換することがある駆動係合スロット８８が更に示されている。更に、可動ブレード２４を取付け区画３４に、より一般的には、器具１０のハウジング１２に移動可能に取り付け、それに対して案内する、ガイド機構９０が設けられる。
【００８２】
図４に例示するブレードセット２０のための駆動機構の構成は、主として例示の目的のために提供されており、本開示の範囲を限定するために提供されていないことが留意されるべきである。
【００８３】
図５及び図６を更に参照する。そこでは、切断ヘッド１８の側面図が提供されている。図６において、コームピース３２は、切断ヘッド１８に取り付けられている。図５において、コームピース３２は存在しない。図５及び図６の側面図は、図４に示す移動方向８４に対して基本的に垂直である。更に、調節移動方向４０は、図５及び図６の図の平面に平行である。
【００８４】
図５及び図６に示す静止ブレード２２は、その皮膚に面する側２６に、傾斜した前方部分９４と、基本的に平面的な後方部分９６とを含む。故に、側面図において、静止ブレード２２の歯８０は、テーパ状である。これは、図５に示す構成では、毛を皮膚の非常に近接して切ることができ、それがシェービング及びスタイリング操作を容易にするという効果を有する。切断ヘッド１８がコームピース３２を備える図６における状態において、コームピース３２の前方部分６８にある歯３６は、それらが静止ブレード２２の歯８０を皮膚から離間させるときに結果として得られる切断長を定める。
【００８５】
結果として得られる切断長は、調節移動方向４０においてコームピース３２と静止ブレード２２との間の相対位置を調節することによって定められる。既に前述したように、前方部分６８に加えて、コームピース３２は、後方部分７０と、それらの間に形成される曲げ区画７２とを備える。曲げ区画７２には、リビングヒンジ７４が設けられる。コームピース３２の設計の故に、図６の湾曲矢印９８によって示すように、曲げ力(bending  force)が誘発される。曲げバイアス９８は、コームピース３２の前方部分６８を静止ブレード２２に対して、特にその歯８０に対して付勢する。
【００８６】
例示的な実施形態では、コームピース３２が調節移動方向４０において静止ブレード２２に対して移動させられるとき、後方部分７０は、静止ブレード２２、特にその皮膚に面する側２６にある基本的に平面的な後方部分９６と平行な向き及びそのような後方部分９６との近接近を取り且つ維持する。故に、コームピース３２がこのように移動させられる（調節される）とき、前方部分６８は、枢動軸を形成する曲げ区画７２の周りで後方部分７０に対して枢動させられる。
【００８７】
そこに示す実施形態において、窪み７６はスロット形状であり、図６の図の平面に対して垂直に延びることを、図６の側面図に見ることができる。窪み７６は、前方フランク１０２(frontal  flank)と後方フランク１０４(rear  flank)との間に配置される溝ベース１００(groove  base)を含む。窪み７６の設計は、一方では、曲げ区画７２の可撓性(フレキシビリティ)を増大させる。更に、最大ピボット運動が、前方フランク１０２として定められ、後方フランク１０４は、コームピース３２の最大にねじれた又は傾いた状態で互いに接触し且つ当接することがある。
【００８８】
図６には、コームピース３２の歯３６の先端１０８が更に示されている。皮膚から見て外方を向く前方部分６８の側面には、静止ブレード２２の歯８０の先端１１６が接触又は係合する接触ゾーン１１４が設けられている。図６に示すような状態において、コームピース３２は、静止ブレード２２に対して少なくとも部分的に延出させられた状態で示されている。故に、移動方向４０に関して、コームピース３２の歯３６の先端１０８は、前方方向において、静止ブレード２２の歯８０の先端１１６を超えて突出している。換言すれば、静止ブレード２２の先端１１６は、コームピース３２の歯３６の先端１０８から後方にオフセットさせられている。
【００８９】
図７及び図８を更に参照する。そこでは、コームピース３２が連結されたブレードセット２０の概略的な部分的な例示が提供されている。図７において、コームピース３２は、格納位置に配置されている。図８において、コームピース３２は、ブレードセット２０に対して少なくとも幾分延出させられた位置に配置されている。それぞれの調節移動方向を図７及び図８に符号４０で示している。
【００９０】
図７では、結果として得られる切断長をｌ１で示している。図８では、結果として得られる切断長をｌ２で示している。コームピース３２の後退状態における切断長ｌ１は、コームピース３２の部分的に延出させられた状態における切断長ｌ２よりも小さい。更に、図８では、静止ブレード２２の先端１１６に対するコームピース３２の突出長をｌ３で示している。図７では、完全後退状態において、それぞれの突起は存在しない。
【００９１】
更に、図７及び図８の両方において、切断ヘッド１８は、皮膚１２０で伸びている毛１２２を切断するために、皮膚部分１２０に接触している。図７及び図８では、全体的な移動又は前進方向を符号１２４で示している。更に上述の実施形態と同様に、図７及び図８のコームピース３２は、後方部分７０と、前方部分６８と、それらの間に形成された曲げ区画７２とを含む。
【００９２】
コームピース３２には、前方部分６８を静止ブレード２２に対して、特にその歯８０に対して付勢する、固有のバイアス又は張力が存在する。ブレードセット２０に対するコームピース３２の相対的な調節位置に依存して、前方部分６８は、曲げ区画７２によって定められる軸の周りで少なくとも僅かに傾けられてよく或いは旋回させられて(swivel)よい。
【００９３】
前方部分６８は、側面図において見られるとき、先端１０８に向かってテーパ状である。換言すれば、前方部分６８は、楔形状の設計を含む。図７及び図８では、テーパ１３０の角度をβ（ベータ）で示している。図７及び図８では、皮膚１２０に対する切断ヘッド１８の、結果的に、ブレードセット２０の全体的な作用角をα（アルファ）で示している。コームピース３２の前方部分６８のテーパ状の設計の故に、作用角αは、静止ブレード２２に対するコームピース３２の実際の調節位置に依存して変化する。
【００９４】
１つの例示的な実施形態では、寸法ｌ２及びｌ３（図８）をほぼ同じレベルに維持するために、角度βは、２０°〜６０°（度）の値に設定されてよい。更に、例示的な実施形態において、調節移動方向４０における長さ設定増分（段サイズ）は、０．５ｍｍ〜３．０ｍｍの範囲であってよい。これらの手段は、皮膚１２０に対するコームピース３２の実際の方向に拘わらず、特に（コームピース３２が取り付けられる）切断ヘッド１８と皮膚１２０との間の実際の角度αに拘わらず、トリミングされる毛の長さが基本的に同じままであるという利点を有する。一般的には、間隔コーム構成３０の実際の長さ設定に拘わらず、寸法ｌ２及びｌ３が同じであるか或いは少なくとも基本的に類似するように調節機構を設計することが有利なことがある。
【００９５】
前方部分６８の皮膚に面する側に設けられる前方部分６８の頂面は、図７及び図８に示す動作状態において皮膚１２０に接触する。更に、図５に既に例示したように、静止ブレード２２にも、それぞれの前方テーパ（傾斜した前方部分９４）が設けられてよい。これは、コームピース３２が調節移動方向４０に更に延出させられるときに、固有のバイアス／張力の故に、前方部分６８の傾斜又は旋回運動のためのより多くの空間が存在するという効果を有する。故に、コームピース３２が図２に示す状態よりも更に前進させられた図８に示す状態において、前方部分６８は、後方部分７０に対して更に撓まされている(deflected)。
【００９６】
図７及び図８に既に示したように、皮膚１２０から見て外方を向くコームピース３２の前方部分６８の側面には、少なくとも１つの窪み、ノッチ、又はより一般的には凹み１３２が設けられてよい。これに関連して、図９の断面斜視図を更に参照する。図９では、コームピース３２の底面が後方視野から示されている。コームピース３２の底面には、コームピース３２が静止ブレード２２に取り付けられるときに、静止ブレード２２の皮膚に面する側２６に接触する、接触面７８が存在する。既に更に上述したように、コームピース３２は、前方部分６８と、後方部分７０とを含み、曲げ区画７２がそれらの間に設けられる。図９に示す実施形態では、リビングヒンジ７４が曲げ区画７２に形成され、リビングヒンジ７４は、窪み７６がコームピース３２を通じて横方向に延びる故の減少させられた壁厚によって定められる。更に、窪み７６の溝ベース１００、前方フランク１０２、後方フランク１０４が図９に示されている。
【００９７】
前方部分６８には、複数のコーム歯３６が設けられている。コーム歯３６には、歯３６を通して横方向に延びる複数の凹み１３２、１３４、１３６(depressions)が形成されている。少なくともコームピース３２のかなり延出させられた状態において（図８を参照）、静止ブレード２２の歯８０の先端１１６は、それぞれ、凹み１３２、１３４、１３６のうちの１つと係合する。故に、少なくとも幾つかの実施態様において、凹み１３２、１３４、１３６の位置は、静止ブレードに対するコームピース３２のそれぞれのセットの調節位置に適合させられる。
【００９８】
図８に示すように、静止ブレード２２の歯８０は、コームピース３２と静止ブレード２２との間のそれぞれの相対位置において、凹み１３２、１３４、１３６に少なくとも部分的に浸漬することがある。この手段は、凹み１３２、１３４、１３６の間の膨らみが、歯８０の先端１１６の前方端を幾分覆うことがあるという効果を有する。故に、毛１２２が静止ブレード２２の皮膚に面する側とコームピース３２の反対の接触側との間の前方間隙に入る可能性は、大幅に減少させられることがある。故に、引き抜かれる毛又はもぎ取られる毛のリスクが減少させられることがある。更に、毛捕捉能力は、この手段によって概ね向上させられる。図９において、凹み１３２、１３４、１３６は、歯３６の幾分階段状の形状を形成する。故に、換言すれば、図８において、凹み１３２、１３４、１３６は、ノッチ、特に楔形状のノッチである。
【００９９】
図７に示す構成と基本的に類似するコームピース２３２を例示する図１０を更に参照する。図７及び図８に示す実施形態とは対照的に、図１０のコームピース２３２は、それぞれの凹み１３２、１３４、１３６を備えていない。コームピース２３２において、曲げ区画７２は、以前に本明細書中で既に議論したように、リビングヒンジ７４を含む。結果的に、テーパ１３０が設けられる前方部分６８は、後方部分７０に対して傾斜させられることがある。固有の付勢力又は曲げ力の故に、前方部分６８は静止ブレード２２に対して付勢される。
【０１００】
同様に、図１１は、ブレードセット２０に取り付けられたコームピース３３２を例示している。以前に本明細書中で記載したコームピース３２、２３２と同様に、コームピース３３２も、前方部分６８と、後方部分７０とを含み、曲げ区画７２が、前方部分６８と後方部分７０との間に形成されて、前方部分６８と後方部分７０との間の傾斜又は旋回移動をもたらす。故に、前方部分は、静止ブレード２２に対して固有のバイアス／張力によって付勢されることがある。
【０１０１】
一般的に、更に上記で議論したコームピース３２、２３２は、一体成形品(ne  piece)に一体的に成形される。対照的に、コームピース２３２は、多構成要素部品(multi-component  part)である。図１１の例示的な構成において、曲げ区画７２は、軟質構成要素１５０によって形成される。前方部分６８は、硬質構成要素１５２によって形成される。後方部分７０は、硬質構成要素１５４によって形成される。故に、軟質構成要素１５０は、前方部分６８と後方部分７０との間にヒンジ又はピボットを形成する。
【０１０２】
幾つかの態様において、コームピース３３２は、一体的に形成された或いは一体的に成形された部分として構成されてよい。コームピースを多構成要素射出成形部品として形成することが考えられる。これは、いわば、コームピースが、軟質構成要素１５０及び硬質構成要素１５２、１５４が互いに結合されるときに、成形手順において既に組み立てられていることを含む。
【０１０３】
上記のように、幾つかの例示的な実施形態において、前方部分６８は、少なくとも部分的に、器具１０に加えられる外力に応答して移動させられる。器具１０の非係合状態において、コームピース３２、２３２、３３２の前方部分６８の間に間隙が存在すると仮定すると、その間隙は、器具１０が作動させられて皮膚に押し付けられるときにハウジング１２に加えられる押圧力によって閉じられることがある。
【０１０４】
図面及び前述の記述において本発明を詳細に例示し且つ記載したが、そのような例示及び記述は、例示的又は説明的であると考えられるべきであり、限定的であると考えられるべきでない。即ち、本発明は、開示の実施形態に限定されない。当業者は、請求項の発明を実施する際に、図面、本開示、及び添付の請求項の研究から、開示の実施形態に対する他の変形を理解して実施することができる。
【０１０５】
請求項において、「含む」という用語は、他の要素又はステップを排除せず、単数形の表現は、複数を排除しない。単一の要素又は他のユニットが、請求項に列挙される幾つかの品目の機能を充足することがある。特定の手段が相互に異なる従属項に列挙されているという単なる事実は、これらの手段の組み合わせを有利に利用し得ないことを示さない。
【０１０６】
請求項中の如何なる参照符号も、その範囲を限定するものと解釈されてならない。
【０１０７】
以下の条項において特定される本開示の文脈内の更なる実施形態及び構成のリストが後続する。
条項１
毛切断器具のための間隔コーム構成（３０）であって、コーム構成（３０）は、ブレードセット（２０）の静止ブレード（２２）の皮膚に面する側（２６）に配置されるように構成されるコームピース（３２，２３２，３３２）を含み、コームピース（３２，２３２，３３２）は、
−  コーム構成（３０）が取り付けられるときにブレードセット（２０）の切断長を定める複数のコーム歯（３６）と、
−  コームピース（３２，２３２，３３２）の前方部分（６８）を静止ブレード（２２）の皮膚に面する側（２６）に対して付勢するように構成される曲げ区画（７２）とを含む、
間隔コーム構成（３０）。
条項２
特に条項１に従った、毛切断器具のための間隔コーム構成（３０）であって、
コーム構成（３０）は、ブレードセット（２０）の静止ブレード（２２）の皮膚に面する側（２６）に配置されるように構成されるコームピース（３２，２３２，３３２）を含み、コームピース（３２，２３２，３３２）は、
−  コーム構成（３０）が取り付けられるときブレードセット（２０）の切断長を定める複数のコーム歯（３６）と、
−  静止ブレード（２２）の皮膚に面する側（２６）に対して付勢されるように構成される前方部分（６８）と、
前方部分（６８）の移動のための変形性が増大させられたコームピース（３２，２３２，３３２）を提供する曲げ区画（７２）とを含む、
コーム構成。
条項３
曲げ区画（７２）がコームピース（３２，２３２，３３２）に一体化される、条項１又は２に従ったコーム構成（３０）。
条項４
少なくとも１つのリビングヒンジ（７４）がコームピース（３２，２３２）の前方部分（６８）と後方部分（７０）との間に形成される、条項１乃至３のうちのいずれかに従ったコーム構成（３０）。
条項５
コーム構成（３０）は調節可能であり、コームピースは、後退位置と延出位置との間で静止ブレードに対して移動可能である、条項１乃至４のうちのいずれかに従ったコーム構成（３０）。
条項６
コームピース（３２，２３２，３３２）の固有の反りがコームピースの前方部分（６８）を静止ブレード（２２）に向かって付勢する、条項１乃至５のうちのいずれかに従ったコーム構成（３０）。
条項７
コームピース（３０）は、コームピースの後方部分（７０）が毛切断器具（１０）に取り付けられるときに、コームピースの前方部分（６８）が静止ブレード（２２）に対して付勢されるような方法において、成形される、条項１乃至６のうちのいずれかに従ったコーム構成（３０）。
条項８
コームピース（３２，２３２）は一体的に成形される、条項１乃至７のうちのいずれかに従ったコーム構成（３０）。
条項９
コームピース（３２）は、多構成要素で一体的に形成される部品であり、互いに結合される軟質構成要素（１５０）及び少なくとも１つの硬質構成要素（１５２，１５４）が提供される、条項１乃至７のうちのいずれかに従ったコーム構成（３０）。
条項１０
コームピース（３２，２３２，３３２）には、コームピース（３２，２３２，３３２）の可撓性を増大させる窪み（７６）が形成され、窪み（７６）は、好ましくは、コームピース（３２，２３２，３３２）の前方部分（６８）と後方部分（７０）との間の曲げ移動についての限界ストップ(limit  stop)を形成する、条項１乃至９のうちのいずれかに従ったコーム構成（３０）。
条項１１
コームピース（３２，２３２，３３２）の前方部分（６８）には、少なくとも１つの凹み（１３２，１３４，１３６）が設けられ、凹み（１３２，１３４，１３６）は、静止ブレード（２２）の前縁(leading  edge)に平行に延び、コームピース（３２，２３２，３３２）及び静止ブレード（２２）が定められた相対的な長手方向位置にあるときに、静止ブレード（２２）の前方の先端（１１６）が凹み（１３２，１３４，１３６）内に少なくとも部分的に浸漬する(dip)、条項１乃至１０のうちのいずれかに従ったコーム構成（３０）。
条項１２
基本的に互いに平行な複数の凹み（１３２，１３４，１３６）が設けられ、凹み（１３２，１３４，１３６）の配置は、静止ブレード（２２）に対するコームピース（３２，２３２，３３２）のそれぞれの長さ調節位置に適合される、条項１１に従ったコーム構成（３０）。
条項１３
毛切断器具（１０）のための切断ヘッド（１８）であって、
可動ブレード（２４）と静止ブレード（２２）とを含むブレードセット（２０）を含み、可動ブレード及び静止ブレードは、それらの間に捕捉される毛を切断するために、互いに対して移動させられるように構成され、切断ヘッド（１８）は、先行する条項のうちのいずれかに従ったコーム構成を含む、
切断ヘッド（１８）。
条項１４
静止ブレード（２２）は、その皮膚に面する側（２６）に、基本的に平面的な後方部分（９６）と、傾斜した前方部分（９４）とを含み、コームピース（３２，２３２，３３２）の前方部分（６８）は、静止ブレード（２２）の前方部分（９６）に対して付勢される、条項１３に従った切断ヘッド（１８）。
条項１５
毛切断器具（１０）、特に電動ヘアトリマであって、
毛切断器具（１０）は、毛を切断するために、毛の間を移動させられるように構成され、ハウジング（１２）と、切断ヘッド（１８）と、切断ヘッド（１８）に取り付けられるように構成される条項１乃至１２のうちのいずれかに従ったコーム構成（３０）とを含む、
毛切断器具（１０）。
【図１】
0006725770.tif 000002
【図２】
0006725770.tif 000003
【図３】
0006725770.tif 000004
【図４】
0006725770.tif 000005
【図５】
0006725770.tif 000006
【図６】
0006725770.tif 000007
【図７】
0006725770.tif 000008
【図８】
0006725770.tif 000009
【図９】
0006725770.tif 000010
【図１０】
0006725770.tif 000011
【図１１】
0006725770.tif 000012